(57)【特許請求の範囲】
【請求項１】
端末装置と無線通信する基地局装置であり、
前記端末装置と前記基地局装置の間の遅延時間についての遅延時間情報を取得する遅延時間情報取得部と、
前記取得された遅延時間情報に基づいて、前記端末装置から前記基地局装置へ送信される特定無線信号のガード時間を示すパラメータもしくは前記特定無線信号に格納される特定信号系列のシフト量を示すパラメータ、又は、前記ガード時間を示すパラメータ及び前記シフト量を示すパラメータの両方を決定する無線信号制御部と、
前記決定されたパラメータについての情報を前記端末装置へ送信する情報送信部と、を備え、
前記特定無線信号はランダムアクセスチャネル信号であり、
前記遅延時間情報取得部は、前記基地局装置が前記端末装置から受信した前記ランダムアクセスチャネル信号のうち初期アクセス時のランダムアクセスチャネル信号に対して前記端末装置へ送信した、下りリンク無線フレームに対する上りリンク無線フレームの送信タイミング補正値、に基づいて、前記遅延時間情報を取得し、
前記遅延時間情報取得部は、前記遅延時間情報の取得に使用する前記送信タイミング補正値を所定の条件で限定し、
前記所定の条件は、前記送信タイミング補正値を前記基地局装置が前記端末装置へ送信した時間帯、又は、前記送信タイミング補正値を前記基地局装置が送信した相手の前記端末装置の在った区域であって、前記基地局装置のカバレッジについての利用状況に応じて決定された、
基地局装置。
【請求項２】
端末装置と無線通信する基地局装置であり、
前記端末装置と前記基地局装置の間の遅延時間についての遅延時間情報を取得する遅延時間情報取得部と、
前記取得された遅延時間情報に基づいて、前記端末装置から前記基地局装置へ送信される特定無線信号のガード時間を示すパラメータもしくは前記特定無線信号に格納される特定信号系列のシフト量を示すパラメータ、又は、前記ガード時間を示すパラメータ及び前記シフト量を示すパラメータの両方を決定する無線信号制御部と、
前記決定されたパラメータについての情報を前記端末装置へ送信する情報送信部と、を備え、
前記無線信号制御部は、前記パラメータについて、前記基地局装置のカバレッジサイズに応じた初期値を保持し、前記取得された遅延時間情報に基づいて前記初期値からの更新を行い、
前記遅延時間情報は、前記基地局装置のカバレッジ内に在る前記端末装置についての往復遅延時間の分布から求められた代表往復遅延時間である、
基地局装置。
【請求項３】
前記無線信号制御部は、前記初期値からの更新についての下限値を保持する請求項２に記載の基地局装置。
【請求項４】
端末装置と無線通信する基地局装置であり、
前記端末装置と前記基地局装置の間の遅延時間についての遅延時間情報を取得する遅延時間情報取得部と、
前記取得された遅延時間情報に基づいて、前記端末装置から前記基地局装置へ送信される特定無線信号のガード時間を示すパラメータもしくは前記特定無線信号に格納される特定信号系列のシフト量を示すパラメータ、又は、前記ガード時間を示すパラメータ及び前記シフト量を示すパラメータの両方を決定する無線信号制御部と、
前記決定されたパラメータについての情報を前記端末装置へ送信する情報送信部と、を備え、
前記無線信号制御部は、前記情報送信部により前記端末装置へ送信されたパラメータに対応する最大許容往復遅延時間よりも大きな最大許容往復遅延時間に対応する試行パラメータについての情報を、前記情報送信部により前記端末装置へ送信し、該送信後に前記基地局装置で受信された前記端末装置からの受信信号に基づいて、前記パラメータの決定値を補正する、
基地局装置。
【請求項５】
端末装置と無線通信する基地局装置における無線信号制御方法であり、
前記基地局装置が、前記端末装置と前記基地局装置の間の遅延時間についての遅延時間情報を取得する遅延時間情報取得ステップと、
前記基地局装置が、前記取得された遅延時間情報に基づいて、前記端末装置から前記基地局装置へ送信される特定無線信号のガード時間を示すパラメータもしくは前記特定無線信号に格納される特定信号系列のシフト量を示すパラメータ、又は、前記ガード時間を示すパラメータ及び前記シフト量を示すパラメータの両方を決定するステップと、
前記基地局装置が、前記決定されたパラメータについての情報を前記端末装置へ送信するステップと、を含み、
前記特定無線信号はランダムアクセスチャネル信号であり、
前記遅延時間情報取得ステップにおいては、前記基地局装置が前記端末装置から受信した前記ランダムアクセスチャネル信号のうち初期アクセス時のランダムアクセスチャネル信号に対して前記端末装置へ送信した、下りリンク無線フレームに対する上りリンク無線フレームの送信タイミング補正値、に基づいて、前記遅延時間情報を取得し、
前記遅延時間情報取得ステップにおいては、前記遅延時間情報の取得に使用する前記送信タイミング補正値を所定の条件で限定し、
前記所定の条件は、前記送信タイミング補正値を前記基地局装置が前記端末装置へ送信した時間帯、又は、前記送信タイミング補正値を前記基地局装置が送信した相手の前記端末装置の在った区域であって、前記基地局装置のカバレッジについての利用状況に応じて決定された、
無線信号制御方法。
【請求項６】
端末装置と無線通信する基地局装置における無線信号制御方法であり、
前記基地局装置が、前記端末装置と前記基地局装置の間の遅延時間についての遅延時間情報を取得するステップと、
前記基地局装置が、前記取得された遅延時間情報に基づいて、前記端末装置から前記基地局装置へ送信される特定無線信号のガード時間を示すパラメータもしくは前記特定無線信号に格納される特定信号系列のシフト量を示すパラメータ、又は、前記ガード時間を示すパラメータ及び前記シフト量を示すパラメータの両方を決定する無線信号制御ステップと、
前記基地局装置が、前記決定されたパラメータについての情報を前記端末装置へ送信するステップと、を含み、
前記無線信号制御ステップにおいては、前記パラメータについて、前記基地局装置のカバレッジサイズに応じた初期値を保持し、前記取得された遅延時間情報に基づいて前記初期値からの更新を行い、
前記遅延時間情報は、前記基地局装置のカバレッジ内に在る前記端末装置についての往復遅延時間の分布から求められた代表往復遅延時間である、
無線信号制御方法。
【請求項７】
前記無線信号制御ステップにおいては、前記初期値からの更新についての下限値を保持する請求項６に記載の無線信号制御方法。
【請求項８】
端末装置と無線通信する基地局装置における無線信号制御方法であり、
前記基地局装置が、前記端末装置と前記基地局装置の間の遅延時間についての遅延時間情報を取得するステップと、
前記基地局装置が、前記取得された遅延時間情報に基づいて、前記端末装置から前記基地局装置へ送信される特定無線信号のガード時間を示すパラメータもしくは前記特定無線信号に格納される特定信号系列のシフト量を示すパラメータ、又は、前記ガード時間を示すパラメータ及び前記シフト量を示すパラメータの両方を決定する無線信号制御ステップと、
前記基地局装置が、前記決定されたパラメータについての情報を前記端末装置へ送信する情報送信ステップと、を含み、
前記無線信号制御ステップにおいては、前記情報送信ステップにより前記端末装置へ送信されたパラメータに対応する最大許容往復遅延時間よりも大きな最大許容往復遅延時間に対応する試行パラメータについての情報を、前記情報送信ステップにより前記端末装置へ送信し、該送信後に前記基地局装置で受信された前記端末装置からの受信信号に基づいて、前記パラメータの決定値を補正する、
無線信号制御方法。
【請求項９】
端末装置と無線通信する基地局装置のコンピュータに、
前記端末装置と前記基地局装置の間の遅延時間についての遅延時間情報を取得する遅延時間情報取得機能と、
前記取得された遅延時間情報に基づいて、前記端末装置から前記基地局装置へ送信される特定無線信号のガード時間を示すパラメータもしくは前記特定無線信号に格納される特定信号系列のシフト量を示すパラメータ、又は、前記ガード時間を示すパラメータ及び前記シフト量を示すパラメータの両方を決定する無線信号制御機能と、
前記決定されたパラメータについての情報を前記端末装置へ送信する情報送信機能と、を実現させるためのコンピュータプログラムであり、
前記特定無線信号はランダムアクセスチャネル信号であり、
前記遅延時間情報取得機能は、前記基地局装置が前記端末装置から受信した前記ランダムアクセスチャネル信号のうち初期アクセス時のランダムアクセスチャネル信号に対して前記端末装置へ送信した、下りリンク無線フレームに対する上りリンク無線フレームの送信タイミング補正値、に基づいて、前記遅延時間情報を取得し、
前記遅延時間情報取得機能は、前記遅延時間情報の取得に使用する前記送信タイミング補正値を所定の条件で限定し、
前記所定の条件は、前記送信タイミング補正値を前記基地局装置が前記端末装置へ送信した時間帯、又は、前記送信タイミング補正値を前記基地局装置が送信した相手の前記端末装置の在った区域であって、前記基地局装置のカバレッジについての利用状況に応じて決定された、
コンピュータプログラム。
【請求項１０】
端末装置と無線通信する基地局装置のコンピュータに、
前記端末装置と前記基地局装置の間の遅延時間についての遅延時間情報を取得する遅延時間情報取得機能と、
前記取得された遅延時間情報に基づいて、前記端末装置から前記基地局装置へ送信される特定無線信号のガード時間を示すパラメータもしくは前記特定無線信号に格納される特定信号系列のシフト量を示すパラメータ、又は、前記ガード時間を示すパラメータ及び前記シフト量を示すパラメータの両方を決定する無線信号制御機能と、
前記決定されたパラメータについての情報を前記端末装置へ送信する情報送信機能と、を実現させるためのコンピュータプログラムであり、
前記無線信号制御機能は、前記パラメータについて、前記基地局装置のカバレッジサイズに応じた初期値を保持し、前記取得された遅延時間情報に基づいて前記初期値からの更新を行い、
前記遅延時間情報は、前記基地局装置のカバレッジ内に在る前記端末装置についての往復遅延時間の分布から求められた代表往復遅延時間である、
コンピュータプログラム。
【請求項１１】
前記無線信号制御機能は、前記初期値からの更新についての下限値を保持する請求項１０に記載のコンピュータプログラム。
【請求項１２】
端末装置と無線通信する基地局装置のコンピュータに、
前記端末装置と前記基地局装置の間の遅延時間についての遅延時間情報を取得する遅延時間情報取得機能と、
前記取得された遅延時間情報に基づいて、前記端末装置から前記基地局装置へ送信される特定無線信号のガード時間を示すパラメータもしくは前記特定無線信号に格納される特定信号系列のシフト量を示すパラメータ、又は、前記ガード時間を示すパラメータ及び前記シフト量を示すパラメータの両方を決定する無線信号制御機能と、
前記決定されたパラメータについての情報を前記端末装置へ送信する情報送信機能と、を実現させるためのコンピュータプログラムであり、
前記無線信号制御機能は、前記情報送信機能により前記端末装置へ送信されたパラメータに対応する最大許容往復遅延時間よりも大きな最大許容往復遅延時間に対応する試行パラメータについての情報を、前記情報送信機能により前記端末装置へ送信し、該送信後に前記基地局装置で受信された前記端末装置からの受信信号に基づいて、前記パラメータの決定値を補正する、
コンピュータプログラム。
【発明の詳細な説明】
【技術分野】
【０００１】
本発明は、基地局装置、無線信号制御方法およびコンピュータプログラムに関する。
【背景技術】
【０００２】
３ＧＰＰ（3rd Generation Partnership Project）で標準化作業が進められているＬＴＥ（Long Term Evolution）と呼ばれる無線通信システム（ＬＴＥシステム）が知られている。ＬＴＥシステムでは、端末装置（User Equipment：UE）と基地局装置（eNodeB：eNB）との間で通信を開始する際に、ＲＡＣＨ（Random Access CHannel：ランダムアクセスチャネル）信号が使用される（例えば、非特許文献１，２参照）。ＲＡＣＨ信号は、端末装置から基地局装置へ向かう方向のリンク（上りリンク（Uplink：UL））の信号（ＵＬ信号）の同期を、端末装置と基地局装置の間で取るために使用される。
【０００３】
図５は、ＲＡＣＨ信号に係る概略シーケンスチャートである。図５を参照して、ＲＡＣＨ信号に係る信号の送信手順を説明する。
【０００４】
（ステップＳ１）基地局装置（eNB）は、カバレッジ（coverage）内に在る端末装置（UE）に対して、ブロードキャスト信号でＲＡＣＨ関連パラメータを報知する。
【０００５】
（ステップＳ２）端末装置（UE）は、該報知されたＲＡＣＨ関連パラメータを使用して、ＲＡＣＨ信号を送信する。
【０００６】
（ステップＳ３）基地局装置（eNB）は、該ＲＡＣＨ信号を送信した端末装置（UE）に対して、上りリンクのタイミング補正値（TA command（Timing Advance command）を送信する。
【０００７】
（ステップＳ４）端末装置（UE）は、該基地局装置（eNB）から受信した上りリンクのタイミング補正値を使用して、上りリンクのデータ信号を送信する。
【０００８】
図６は、上りリンクのタイミング補正値（TA command）の説明図である。図６において、上りリンクのタイミング補正値「ＮＴＡ×ＴＳ［秒］」は、端末装置が上りリンク無線フレーム（UL Radio Frame）を送信する際の、下りリンク無線フレーム（DL Radio Frame）に対する、上りリンク無線フレームの送信タイミング補正値である。下りリンク（Downlink：DL）は基地局装置から端末装置へ向かう方向のリンクである。ＴＳは「１／３０７２００００」秒である。ＮＴＡとして、例えば、「ＮＴＡ＝ＴＡ×１６、但し、ＴＡは０から１２８２までの整数」が使用される。この上りリンクのタイミング補正値（TA command）によって、０から６７０［マイクロ秒］までのタイミング補正が可能である。これは、基地局装置と端末装置の間の往復遅延時間に換算したカバレッジサイズの半径として、およそ０から１００［キロメートル］までの範囲に在る端末装置について、ＵＬ信号の同期を取ることができることに相当する。
【０００９】
また、上述したＲＡＣＨ信号に係る信号の送信手順（図５、ステップＳ１）において、基地局装置（eNB）は、カバレッジ内に在る端末装置（UE）に対して、ブロードキャスト信号でＲＡＣＨ関連パラメータを報知する。この報知されるＲＡＣＨ関連パラメータとして、例えば、「PRACH Config Index」と「zeroCorrelationZoneConfig」がある。
【００１０】
「PRACH Config Index」は、ＲＡＣＨ信号のフォーマットとＲＡＣＨ信号の送信タイミングを指定するパラメータである。図７は、ＲＡＣＨ信号のフォーマットの例を示す図である。図７には、ＲＡＣＨ信号のフォーマットの例として、フォーマット０（Format 0）とフォーマット１（Format 1）が示されている。フォーマット０，１は、サイクリックプレフィックス（Cyclic Prefix：CP）を格納する部分と、NzcポイントZaddoff-chu系列を格納する部分と、ガードの部分とを有する。NzcポイントZaddoff-chu系列は、信号系列の一種である。フォーマット０とフォーマット１との違いは、ＣＰ部分の長さ及びガード部分の長さがフォーマット１の方が長いことである。端末装置があるフォーマットでＲＡＣＨ信号を送信する場合において、当該端末装置と基地局装置との間の往復遅延時間が当該フォーマットにおけるガード部分の時間（ガード時間）を超える場所からＲＡＣＨ信号を送信するときは、該送信されたＲＡＣＨ信号は該基地局装置で受信に失敗する可能性が高い。図７において、フォーマット０におけるガード時間は０．１ミリ秒であり、フォーマット１におけるガード時間は０．５２ミリ秒である。
【００１１】
「zeroCorrelationZoneConfig」は、ＲＡＣＨ信号に格納されるNzcポイントZaddoff-chu系列のサイクリックシフト（Cyclic Shift）量を指定するパラメータである。図８は、ＲＡＣＨ信号に格納されるNzcポイントZaddoff-chu系列のサイクリックシフト量を説明するための概念図である。
「zeroCorrelationZoneConfig」は、図８中のNzcポイントZaddoff-chu系列部分における、NzcポイントZaddoff-chu系列の開始位置からのシフト量を示す。図８の例では、NzcポイントZaddoff-chu系列の開始位置からのシフト量として、ポイント１（Point1）とポイント２（Point2）とポイント３（Point3）との３つの位置が示されている。ここで、「zeroCorrelationZoneConfig」が示すのはポイント１までのシフト量である。そして、ポイント１からさらに「zeroCorrelationZoneConfig」が示すシフト量でシフトさせたポイント２が系列長を超えていなければ、当該ポイント２をＲＡＣＨ信号のNzcポイントZaddoff-chu系列部分の先頭（図８中のポイント１の位置）に配置する。同様に、ポイント２からさらに「zeroCorrelationZoneConfig」が示すシフト量でシフトさせたポイント３が系列長を超えていなければ、当該ポイント３をＲＡＣＨ信号のNzcポイントZaddoff-chu系列部分の先頭（図８中のポイント１の位置）に配置する。図８の例ではポイント３まで取れている。これらポイント１，２，３のうち、どのポイントを使ったＲＡＣＨ信号を送信するのかは端末装置が任意に決定する。基地局装置は、端末装置から受信したＲＡＣＨ信号のNzcポイントZaddoff-chu系列部分に対して、自己が報知した「zeroCorrelationZoneConfig」で使用可能な各ポイント１，２，３でデコーディング（Decoding）を行い、一致する系列を検索する。同じNzcポイントZaddoff-chu系列であっても、ＲＡＣＨ信号のNzcポイントZaddoff-chu系列部分に配置される部分が異なれば区別することができるので、ＲＡＣＨ信号を送信した端末装置の区別に利用されている。端末装置が、ＲＡＣＨ信号のNzcポイントZaddoff-chu系列部分に配置されるNzcポイントZaddoff-chu系列の開始部分の各位置の間隔（図８中の各ポイント１，２，３の間隔）を超える場所からＲＡＣＨ信号を送信する場合には、該送信されたＲＡＣＨ信号は基地局装置で受信に失敗する可能性が高い。
【先行技術文献】
【非特許文献】
【００１２】
【非特許文献１】3GPP (3rd Generation Partnership Project)、TS36.331、“Evolved Universal Terrestrial Radio Access (E-UTRA); Radio Resource Control (RRC); Protocol specification”、V12.1.0(2014-03)
【非特許文献２】3GPP (3rd Generation Partnership Project)、TS36.211、“Evolved Universal Terrestrial Radio Access (E-UTRA); Physical Channels and Modulation”、V12.1.0(2014-03)
【発明の概要】
【発明が解決しようとする課題】
【００１３】
従来、上述したＲＡＣＨ関連パラメータである「PRACH Config Index」と「zeroCorrelationZoneConfig」とは、通常、基地局装置に対して局建パラメータとして設定されている。局建パラメータは、基地局装置の環境に応じた設定値が各基地局の建設時に手入力されるものである。しかしながら、基地局の建設時に局建パラメータの入力漏れが発生したり、又は、基地局装置のソフトウェア更新時に最新局建パラメータへの更新漏れが発生したりする可能性がある。
【００１４】
本発明は、このような事情を考慮してなされたものであり、基地局装置から端末装置へ報知されるパラメータとして、端末装置から基地局装置へ送信される無線信号のガード時間を示すパラメータや該無線信号に格納される特定信号系列のシフト量を示すパラメータを、自動的に設定できる、基地局装置、無線信号制御方法およびコンピュータプログラムを提供することを課題とする。
【課題を解決するための手段】
【００１５】
（１）本発明の一態様は、端末装置と無線通信する基地局装置であり、前記端末装置と前記基地局装置の間の遅延時間についての遅延時間情報を取得する遅延時間情報取得部と、前記取得された遅延時間情報に基づいて、前記端末装置から前記基地局装置へ送信される特定無線信号のガード時間を示すパラメータもしくは前記特定無線信号に格納される特定信号系列のシフト量を示すパラメータ、又は、前記ガード時間を示すパラメータ及び前記シフト量を示すパラメータの両方を決定する無線信号制御部と、前記決定されたパラメータについての情報を前記端末装置へ送信する情報送信部と、を備えた基地局装置である。
（２）本発明の一態様は、上記（１）の基地局装置において、前記特定無線信号はランダムアクセスチャネル信号であり、前記遅延時間情報取得部は、前記基地局装置が前記端末装置から受信した前記ランダムアクセスチャネル信号のうち初期アクセス時のランダムアクセスチャネル信号に対して前記端末装置へ送信した、下りリンク無線フレームに対する上りリンク無線フレームの送信タイミング補正値、に基づいて、前記遅延時間情報を取得する、基地局装置である。
（３）本発明の一態様は、上記（２）の基地局装置において、前記遅延時間情報取得部は、前記遅延時間情報の取得に使用する前記送信タイミング補正値を所定の条件で限定する基地局装置である。
（４）本発明の一態様は、上記（１）から（３）のいずれかの基地局装置において、前記無線信号制御部は、前記パラメータについて、前記基地局装置のカバレッジサイズに応じた初期値を保持し、前記取得された遅延時間情報に基づいて前記初期値からの更新を行う、基地局装置である。
（５）本発明の一態様は、上記（４）の基地局装置において、前記無線信号制御部は、前記初期値からの更新についての下限値を保持する基地局装置である。
（６）本発明の一態様は、上記（１）から（５）のいずれかの基地局装置において、前記無線信号制御部は、前記情報送信部により前記端末装置へ送信されたパラメータに対応する前記遅延時間よりも大きな前記遅延時間に対応する試行パラメータについての情報を、前記情報送信部により前記端末装置へ送信し、該送信後に前記基地局装置で受信された前記端末装置からの受信信号に基づいて、前記パラメータの決定値を補正する、基地局装置である。
【００１６】
（７）本発明の一態様は、端末装置と無線通信する基地局装置における無線信号制御方法であり、前記基地局装置が、前記端末装置と前記基地局装置の間の遅延時間についての遅延時間情報を取得するステップと、前記基地局装置が、前記取得された遅延時間情報に基づいて、前記端末装置から前記基地局装置へ送信される特定無線信号のガード時間を示すパラメータもしくは前記特定無線信号に格納される特定信号系列のシフト量を示すパラメータ、又は、前記ガード時間を示すパラメータ及び前記シフト量を示すパラメータの両方を決定するステップと、前記基地局装置が、前記決定されたパラメータについての情報を前記端末装置へ送信するステップと、を含む無線信号制御方法である。
【００１７】
（８）本発明の一態様は、端末装置と無線通信する基地局装置のコンピュータに、前記端末装置と前記基地局装置の間の遅延時間についての遅延時間情報を取得する遅延時間情報取得機能と、前記取得された遅延時間情報に基づいて、前記端末装置から前記基地局装置へ送信される特定無線信号のガード時間を示すパラメータもしくは前記特定無線信号に格納される特定信号系列のシフト量を示すパラメータ、又は、前記ガード時間を示すパラメータ及び前記シフト量を示すパラメータの両方を決定する無線信号制御機能と、前記決定されたパラメータについての情報を前記端末装置へ送信する情報送信機能と、を実現させるためのコンピュータプログラムである。
【発明の効果】
【００１８】
本発明によれば、基地局装置から端末装置へ報知されるパラメータとして、端末装置から基地局装置へ送信される無線信号のガード時間を示すパラメータや該無線信号に格納される特定信号系列のシフト量を示すパラメータを、自動的に設定できるという効果が得られる。
【図面の簡単な説明】
【００１９】
【図１】本発明の一実施形態に係る基地局装置１の構成を示すブロック図である。
【図２】図１に示す基地局装置１を実現するハードウェアの構成例を示すブロック図である。
【図３】本発明の一実施形態に係る無線信号制御方法の手順を示すフローチャートである。
【図４】本発明の一実施形態に係る「PRACH Config Index」及び「zeroCorrelationZoneConfig」の候補と最大許容往復遅延時間の関係の例を示す図表である。
【図５】ＲＡＣＨ信号に係る概略シーケンスチャートである。
【図６】上りリンクのタイミング補正値（TA command）の説明図である。
【図７】ＲＡＣＨ信号のフォーマットの例を示す図である。
【図８】ＲＡＣＨ信号に格納されるNzcポイントZaddoff-chu系列のサイクリックシフト量を説明するための概念図である。
【発明を実施するための形態】
【００２０】
以下、図面を参照し、本発明の実施形態について説明する。本実施形態では、無線通信システムの一例として、ＬＴＥシステムを挙げて説明する。
【００２１】
図１は、本発明の一実施形態に係る基地局装置１の構成を示すブロック図である。図１には、ＬＴＥシステムの基地局装置の構成のうち、無線信号制御機能に係る構成を示している。図１において、基地局装置１は、遅延時間情報取得部１１と無線信号制御部１２と情報送信部１３を備える。遅延時間情報取得部１１は、自己の基地局装置１と無線通信する端末装置と該基地局装置１の間の遅延時間についての遅延時間情報を取得する。
【００２２】
無線信号制御部１２は、遅延時間情報取得部１１により取得された遅延時間情報に基づいて、「PRACH Config Index」及び「zeroCorrelationZoneConfig」を決定する。「PRACH Config Index」は、端末装置から自己の基地局装置１へ送信されるＲＡＣＨ信号のガード時間を示す。ＲＡＣＨ信号は、端末装置から自己の基地局装置１へ送信される特定無線信号である。「zeroCorrelationZoneConfig」は、ＲＡＣＨ信号に格納されるNzcポイントZaddoff-chu系列のサイクリックシフト量を示す。NzcポイントZaddoff-chu系列は特定信号系列である。
【００２３】
情報送信部１３は、無線信号制御部１２により決定された「PRACH Config Index」及び「zeroCorrelationZoneConfig」についての情報を端末装置へ送信する。
【００２４】
図２は、図１に示す基地局装置１を実現するハードウェアの構成例を示すブロック図である。図２において、基地局装置１は、無線通信部２１と通信部２２とＣＰＵ部２３と記憶部２４を備える。これら各部はデータを交換できるように構成されている。無線通信部２１は端末装置と無線通信する。通信部２２は、バックボーンネットワークを介して他の装置と通信する。ＣＰＵ部２３は基地局装置１の制御を行う。この制御機能は、ＣＰＵ部２３がコンピュータプログラムを実行することにより実現される。記憶部２４は、ＣＰＵ部２３で実行されるコンピュータプログラムや各種のデータを記憶する。記憶部２４は、無線信号制御プログラム３１を記憶している。図１に示される基地局装置１の各部の機能は、図２に示されるＣＰＵ部２３が記憶部２４に記憶される無線信号制御プログラム３１を実行することにより実現される。
【００２５】
図３は、本実施形態に係る無線信号制御方法の手順を示すフローチャートである。図３を参照して、図１に示す基地局装置１の動作を説明する。
【００２６】
（ステップＳ１０１）遅延時間情報取得部１１は、自己の基地局装置１と無線通信する端末装置と該基地局装置１の間の遅延時間についての遅延時間情報を取得する。具体的には、遅延時間情報取得部１１は、自己の基地局装置１が過去において端末装置から受信したＲＡＣＨ信号のうち初期アクセス時のＲＡＣＨ信号に対して端末装置へ送信した「上りリンクのタイミング補正値（TA command）」に基づいて、自己の基地局装置１のカバレッジ内に在る端末装置についての往復遅延時間の分布（往復遅延時間分布）を求める。そして、遅延時間情報取得部１１は、その往復遅延時間分布に基づいて、代表往復遅延時間を求める。代表往復遅延時間としては、以下の例が挙げられる。
（代表往復遅延時間の例１）往復遅延時間分布における最長の往復遅延時間。
（代表往復遅延時間の例２）往復遅延時間分布における最大分布数の往復遅延時間。
（代表往復遅延時間の例３）往復遅延時間分布における往復遅延時間の平均値。
（代表往復遅延時間の例４）往復遅延時間分布における９５％ｔｉｌｅ値。
【００２７】
（ステップＳ１０２）無線信号制御部１２は、遅延時間情報取得部１１により取得された遅延時間情報に基づいて、「PRACH Config Index」及び「zeroCorrelationZoneConfig」を決定する。具体的には、無線信号制御部１２は、所定の「PRACH Config Index」及び「zeroCorrelationZoneConfig」の候補の中から、遅延時間情報取得部１１により求められた代表往復遅延時間に対応する候補に決定する。図４は、「PRACH Config Index」及び「zeroCorrelationZoneConfig」の候補と最大許容往復遅延時間の関係の例を示す図表である。無線信号制御部１２は、予め、図４に例示される「PRACH Config Index」及び「zeroCorrelationZoneConfig」の候補と最大許容往復遅延時間の関係を示すデータを保持する。最大許容往復遅延時間は、該当する「PRACH Config Index」によるＲＡＣＨ信号（フォーマット０のＲＡＣＨ信号、又は、フォーマット１のＲＡＣＨ信号）が許容できる最大の往復遅延時間である。また、最大許容往復遅延時間は、該当する「zeroCorrelationZoneConfig」によるＲＡＣＨ信号が許容できる最大の往復遅延時間である。
【００２８】
図４中の最大許容往復遅延時間の欄において斜線である欄に対応する「PRACH Config Index」及び「zeroCorrelationZoneConfig」が、「PRACH Config Index」及び「zeroCorrelationZoneConfig」の候補である。例えば、最大許容往復遅延時間「１２．７３マイクロ秒」に適用可能な「zeroCorrelationZoneConfig」は「１」であるが、最大許容往復遅延時間「１２．７３マイクロ秒」に適用可能な「PRACH Config Index」は「フォーマット０」と「フォーマット１」の両方がある。この場合、最大許容往復遅延時間「１２．７３マイクロ秒」に対応する「PRACH Config Index」は斜線の欄に対応する「フォーマット０」である。ここで、「フォーマット０」と「フォーマット１」の両方を適用可能な最大許容往復遅延時間に対して「フォーマット０」を使用する理由は、「フォーマット１」よりも「フォーマット０」の方が、図７に示されるように、無線リソース使用量が少ないからである。また、「フォーマット１」よりも「フォーマット０」の方が、ＲＡＣＨ信号の誤検出が少ないという実際の観測データがあることも、その理由の一つである。
【００２９】
無線信号制御部１２は、図４に例示される「PRACH Config Index」及び「zeroCorrelationZoneConfig」の候補と最大許容往復遅延時間の関係を示すデータに基づいて、「PRACH Config Index」及び「zeroCorrelationZoneConfig」の候補の中から、遅延時間情報取得部１１により求められた代表往復遅延時間に適用可能な候補に決定する。
【００３０】
（ステップＳ１０３）情報送信部１３は、無線信号制御部１２により決定された「PRACH Config Index」及び「zeroCorrelationZoneConfig」についての情報を端末装置へ送信する。具体的には、情報送信部１３は、無線信号制御部１２により決定された「PRACH Config Index」及び「zeroCorrelationZoneConfig」を、図５に示されるステップＳ１においてブロードキャスト信号で報知する。
【００３１】
上述した実施形態によれば、基地局装置１が過去に端末装置へ送信した「上りリンクのタイミング補正値（TA command）」に基づいた代表往復遅延時間に適用可能な「PRACH Config Index」及び「zeroCorrelationZoneConfig」を、自動的に該基地局装置１に設定することができる。これにより、基地局の建設時における局建パラメータの入力漏れや、基地局装置１のソフトウェア更新時における最新局建パラメータへの更新漏れなどに対処可能となる。
【００３２】
また、代表往復遅延時間の求め方によって、「PRACH Config Index」及び「zeroCorrelationZoneConfig」を所望の選択基準で決定することができる。例えば、代表往復遅延時間として、往復遅延時間分布における最長の往復遅延時間を求めた場合、基地局装置１のカバレッジ内に在る端末装置の全てをサポートすることが想定される。また、代表往復遅延時間として、最大分布数の往復遅延時間を求めた場合、基地局装置１のカバレッジ内において端末装置数が最も多く分布しているエリアを主にサポートすることが想定される。また、代表往復遅延時間として、往復遅延時間の平均値を求めた場合、基地局装置１のカバレッジ内において端末装置が分布しているエリアを平均的にサポートすることが想定される。また、代表往復遅延時間として、往復遅延時間分布における９５％ｔｉｌｅ値を求めた場合、基地局装置１のカバレッジ内において基地局装置１が誤受信したと想定される５％の信号を除いて、サポートすることが想定される。
【００３３】
以上、本発明の実施形態について図面を参照して詳述してきたが、具体的な構成はこの実施形態に限られるものではなく、本発明の要旨を逸脱しない範囲の設計変更等も含まれる。
【００３４】
例えば、遅延時間情報取得部１１は、往復遅延時間分布の取得に使用する「上りリンクのタイミング補正値（TA command）」を所定の条件で限定してもよい。例えば、「上りリンクのタイミング補正値（TA command）」を端末装置へ送信した時間帯を限定してもよい。又は、「上りリンクのタイミング補正値（TA command）」を送信した端末装置の在った区域を限定してもよい。それらの限定は、基地局装置１のカバレッジについての利用状況（利用時間帯の変化の状況、利用区域の変化の状況など）に応じて決定されることが挙げられる。
【００３５】
また、無線信号制御部１２は、「PRACH Config Index」及び「zeroCorrelationZoneConfig」について、基地局装置１のカバレッジサイズに応じた初期値を保持し、代表往復遅延時間に基づいて該初期値からの更新を行うようにしてもよい。さらに、無線信号制御部１２は、該初期値からの更新についての下限値を保持するようにしてもよい。これにより、代表往復遅延時間に基づいた「PRACH Config Index」及び「zeroCorrelationZoneConfig」の自動設定において、該初期値から更新することにより、適切な「PRACH Config Index」及び「zeroCorrelationZoneConfig」に短期間で設定できる。また、該初期値からの更新についての下限値を設けることにより、不適切な「PRACH Config Index」及び「zeroCorrelationZoneConfig」に決定されることを防止できる。
【００３６】
また、無線信号制御部１２は、情報送信部１３により端末装置へ送信された「PRACH Config Index」及び「zeroCorrelationZoneConfig」に対応する最大許容往復遅延時間よりも大きな最大許容往復遅延時間に対応する試行の「PRACH Config Index」及び「zeroCorrelationZoneConfig」を、情報送信部１３により端末装置へ送信し、該送信後に基地局装置１で受信された端末装置からの受信信号に基づいて、「PRACH Config Index」及び「zeroCorrelationZoneConfig」の決定値を補正してもよい。これにより、一旦決定された「PRACH Config Index」及び「zeroCorrelationZoneConfig」が適切であるかを、試行の「PRACH Config Index」及び「zeroCorrelationZoneConfig」によってチェックすることができる。例えば、一旦決定された「PRACH Config Index」及び「zeroCorrelationZoneConfig」に対応する最大許容往復遅延時間が小さいと、基地局装置１のカバレッジのエッジ付近に在る端末装置などからのＲＡＣＨ信号を受信できない可能性がある。これに対処するために、該最大許容往復遅延時間よりも大きな最大許容往復遅延時間に対応する「PRACH Config Index」及び「zeroCorrelationZoneConfig」を試行することによって、基地局装置１のカバレッジのエッジ付近に在る端末装置などからのＲＡＣＨ信号の受信漏れを検出し、一旦決定された「PRACH Config Index」及び「zeroCorrelationZoneConfig」を補正することができる。また、その試行タイミングとして、例えば、「PRACH Config Index」及び「zeroCorrelationZoneConfig」の決定直後や、決定から所定期間経過後などが挙げられる。
【００３７】
なお、上述した実施形態では、無線信号制御部１２は、代表往復遅延時間に基づいて「PRACH Config Index」及び「zeroCorrelationZoneConfig」の両方を決定したが、代表往復遅延時間に基づいて「PRACH Config Index」又は「zeroCorrelationZoneConfig」のいずれか一方のみを決定してもよい。
【００３８】
また、上述した実施形態では、無線信号としてＲＡＣＨ信号を挙げたが、他の無線信号にも適用可能である。また、上述した実施形態では、特定信号系列としてNzcポイントZaddoff-chu系列を挙げたが、他の特定信号系列にも適用可能である。
【００３９】
また、上述した実施形態では、無線通信システムの一例としてＬＴＥシステムを挙げたが、ＬＴＥシステム以外の他の無線通信システムにも同様に適用可能である。
【００４０】
また、上述した基地局装置１の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００４１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４２】
１…基地局装置、１１…遅延時間情報取得部、１２…無線信号制御部、１３…情報送信部、２１…無線通信部、２２…通信部、２３…ＣＰＵ部、２４…記憶部、３１…無線信号制御プログラム
【図１】
0006014629.tif 000002
【図２】
0006014629.tif 000003
【図３】
0006014629.tif 000004
【図４】
0006014629.tif 000005
【図５】
0006014629.tif 000006
【図６】
0006014629.tif 000007
【図７】
0006014629.tif 000008
【図８】
0006014629.tif 000009